(57)【特許請求の範囲】
【請求項１】
電子機器において、
表示画面を有する表示部と、
前記表示画面と並べて配置された複数の操作キーと、
前記電子機器が所定の状態にあるとき、前記所定の状態であることを示す情報を前記表示画面に表示させる表示制御部と、
を備え、
前記表示制御部は、前記複数の操作キーの内、前記所定の状態のときに操作すべき特定の操作キーの位置に対応した前記表示画面上の位置に、動的図形を表示させ、
前記動的図形は、前記特定の操作キーを中心として広がっていく図形または狭まっていく図形である
ことを特徴とする電子機器。
【請求項２】
前記特定の操作キーに対して設けられた照明部と、
前記表示画面に動的図形を表示させるのに対応させて前記照明部による発光輝度を変化させる発光輝度制御部と、
を備えることを特徴とする請求項１に記載の電子機器。
【請求項３】
前記所定の状態は、複数の選択項目の内の１つの選択項目が前記表示画面に表示された状態であり、
前記特定の操作キーは、前記１つの選択項目を確定するための操作キーである
ことを特徴とする請求項１または２のいずれか１項に記載の電子機器。
【請求項４】
電子機器の制御方法において、
前記電子機器が所定の状態にあるとき、前記所定の状態であることを示す情報を表示画面に表示し、
前記表示画面と並べて配置された複数の操作キーの内、前記所定の状態のときに操作すべき特定の操作キーの位置に対応した前記表示画面上の位置に、動的図形を表示し、
前記動的図形は、前記特定の操作キーを中心として広がっていく図形または狭まっていく図形である
ことを特徴とする電子機器の制御方法。
【請求項５】
電子機器に搭載されたコンピュータに、
前記電子機器が所定の状態にあるとき、前記所定の状態であることを示す情報を表示画面に表示させる第１の表示ステップと、
前記表示画面と並べて配置された複数の操作キーの内、前記所定の状態のときに操作すべき特定の操作キーの位置に対応した前記表示画面上の位置に、動的図形を表示させる第２の表示ステップと、
を実行させ、
前記動的図形は、前記特定の操作キーを中心として広がっていく図形または狭まっていく図形である
ことを特徴とする電子機器の制御プログラム。
【発明の詳細な説明】
【技術分野】
【０００１】
本発明は、各種の情報を表示する表示画面を有する表示部と複数の操作キーとを備える電子機器、この電子機器を制御する制御方法、及び、制御プログラムに関する。
【背景技術】
【０００２】
電子機器の一例として、カーナビゲーション装置や車載用のオーディオ装置のような車載機器がある。車載機器は、通常、各種の情報を表示する表示画面を有する表示部と、車載機器を操作するための複数の操作キーとを備える。携帯電話による通話を、車載機器を利用してハンズフリーで行うことができる機能を搭載した車載機器もある。
【０００３】
特許文献１には、押下された操作キー（操作ボタン）の種類や押下時間に応じて表示部に動的な画像を表示したり、操作キーが所定時間以上押下されない場合に表示部に動的な画像を表示したりすることが記載されている。
【先行技術文献】
【特許文献】
【０００４】
【特許文献１】特開２００４−２１０２１６号公報
【発明の概要】
【発明が解決しようとする課題】
【０００５】
上記のように、電子機器は通常複数の操作キーを備えることから、ユーザが電子機器を操作する際に複数ある操作キーの内、どのキーを操作すればよいかを認識しにくければ電子機器の操作性が低下してしまう。特に車載機器においては運転者が車載機器を操作することが多いため、操作すべきキーを容易に認識できることが望まれる。特許文献１に記載の発明は、複数ある操作キーの内のどのキーを操作すればよいかをユーザに知らせるものではない。ユーザが、複数ある操作キーの内のどのキーを操作すればよいかを容易に認識することができる技術の登場が望まれる。
【０００６】
本発明はこのような要望に対応するためになされたものであり、複数ある操作キーの内のどのキーを操作すればよいかを容易に認識することができる電子機器、電子機器の制御方法、及び、電子機器の制御プログラムを提供することを目的とする。
【課題を解決するための手段】
【０００７】
本発明は、上述した従来の技術の課題を解決するため、電子機器において、表示画面（７１）を有する表示部（７）と、前記表示画面と並べて配置された複数の操作キー（５２〜５５）と、前記電子機器が所定の状態にあるとき、前記所定の状態であることを示す情報を前記表示画面に表示させる表示制御部（１）と、を備え、前記表示制御部は、前記複数の操作キーの内、前記所定の状態のときに操作すべき特定の操作キーの位置に対応した前記表示画面上の位置に、動的図形（Ｉｍ１，Ｉｍ２）を表示させることを特徴とする電子機器を提供する。
【０００８】
前記動的図形は、前記特定の操作キーから離れていく図形または前記特定の操作キーに近付いていく図形であることが好ましい。
前記動的図形は、前記特定の操作キーを中心として広がっていく図形または狭まっていく図形であることが好ましい。
【０００９】
前記特定の操作キーに対して設けられた照明部（６）と、前記表示画面に動的図形を表示させるのに対応させて前記照明部による発光輝度を変化させる発光輝度制御部（１）とを備えることが好ましい。
【００１０】
前記所定の状態は、複数の選択項目の内の１つの選択項目が前記表示画面に表示された状態であり、前記特定の操作キーは、前記１つの選択項目を確定するための操作キー（５２）であることが好ましい。
前記表示制御部は、前記１つの選択項目を前記表示画面に表示した時点から所定の時間が経過した時点で前記動的図形の表示を開始させることが好ましい。
【００１２】
また、本発明は、上述した従来の技術の課題を解決するため、電子機器の制御方法において、前記電子機器が所定の状態にあるとき、前記所定の状態であることを示す情報を表示画面（７１）に表示し、前記表示画面と並べて配置された複数の操作キーの内、前記所定の状態のときに操作すべき特定の操作キーの位置に対応した前記表示画面上の位置に、動的図形（Ｉｍ１，Ｉｍ２）を表示することを特徴とする電子機器の制御方法を提供する。
【００１３】
前記動的図形は、前記特定の操作キーから離れていく図形または前記特定の操作キーに近付いていく図形であることが好ましい。
前記動的図形は、前記特定の操作キーを中心として広がっていく図形または狭まっていく図形であることが好ましい。
【００１７】
さらに、本発明は、上述した従来の技術の課題を解決するため、電子機器に搭載されたコンピュータに、前記電子機器が所定の状態にあるとき、前記所定の状態であることを示す情報を表示画面（７１）に表示させる第１の表示ステップと、前記表示画面と並べて配置された複数の操作キーの内、前記所定の状態のときに操作すべき特定の操作キーの位置に対応した前記表示画面上の位置に、動的図形（Ｉｍ１，Ｉｍ２）を表示させる第２の表示ステップとを実行させることを特徴とする電子機器の制御プログラムを提供する。
【００１８】
前記動的図形は、前記特定の操作キーから離れていく図形または前記特定の操作キーに近付いていく図形であることが好ましい。
前記動的図形は、前記特定の操作キーを中心として広がっていく図形または狭まっていく図形であることが好ましい。
【発明の効果】
【００２２】
本発明の電子機器、電子機器の制御方法、及び、電子機器の制御プログラムによれば、複数ある操作キーの内のどのキーを操作すればよいかを容易に認識することが可能となる。従って、電子機器の操作性が向上する。
【図面の簡単な説明】
【００２３】
【図１】本発明の一実施形態の電子機器を示すブロック図である。
【図２】一実施形態の電子機器の正面図である。
【図３】動的図形の第１の例を示す電子機器の正面図である。
【図４】動的図形の第１の例の時間的変化を説明するための図である。
【図５】動的図形の第１の例の表示と照明部の輝度変化とを組み合わせた場合の例を示す図である。
【図６】動的図形の第１の例の表示と照明部の輝度変化とを組み合わせた場合の一実施形態の電子機器で実行される処理を示すフローチャートである。
【図７】楽曲の再生状態を示している電子機器の正面図である。
【図８】動的図形の第２の例を示す電子機器の正面図である。
【図９】携帯電話で通話中の状態を示している電子機器の正面図である。
【図１０】動的図形の第２の例の時間的変化を説明するための図である。
【図１１】動的図形の第２の例の表示と照明部の輝度変化とを組み合わせた場合の例を示す図である。
【図１２】動的図形の第２の例の表示と照明部の輝度変化とを組み合わせた場合の一実施形態の電子機器で実行される処理を示すフローチャートである。
【発明を実施するための形態】
【００２４】
以下、本発明の電子機器、電子機器の制御方法、及び、電子機器の制御プログラムの実施形態について、添付図面を参照して説明する。図１に示す本実施形態においては、電子機器の一例として車載用のオーディオ装置を示している。図１において、制御部１は後述する各部を制御する。チューナ２は例えばラジオ放送波を受信する。チューナ２は、制御部１によって指示された周波数の放送波信号を受信して音声信号を制御部１に供給する。ユーザが操作部５を操作することにより放送局を選択すると、操作部５からの操作信号が制御部１に入力され、制御部１は選択した放送局に対応した周波数の放送波信号を受信するようチューナ２を制御する。チューナ２からの音声信号は音声出力部８に供給されて音声として出力される。
【００２５】
ディスクドライブ３は例えばコンパクトディスク（ＣＤ）等のディスクを再生し、再生した音声信号を制御部１に供給する。ディスクドライブ３からの音声信号は音声出力部８に供給されて音声として出力される。記憶部４は制御部１で実行される各種の制御プログラムや、各部を動作させる際に必要となる種々の情報を記憶している。制御部１は記憶部４から制御プログラムを読み込んだり、記憶部４から種々の情報を読み出したり、記憶部４に種々の情報を書き込んだりする。操作部５は、オーディオ装置を操作するためのノブや複数の操作キーを含む。照明部６はユーザが操作部５を操作しやすいよう操作部５を照明するために設けられている。照明部６は一例として発光ダイオード（ＬＥＤ）で構成される。操作部５及び照明部６の詳細については後述する。
【００２６】
表示部７は一例として液晶パネルによって構成され、制御部１による指示に従って文字や図形等の各種の情報を表示する。音声出力部８は音声信号を増幅するアンプとアンプからの音声信号を電気音響変換するスピーカとを含む。音声出力部８から発せられる音量は、操作部５による操作に応じて制御部１によって調整される。音声入力部９はユーザによる発話を音声信号に変換して制御部１に供給する。
【００２７】
図１に示すオーディオ装置は、携帯端末の一例である携帯電話２０による通話をハンズフリーで行うことができる機能を搭載した構成を示している。通信部１０は、携帯電話２０との間でブルートゥース（登録商標）等の近距離無線通信プロトコルに従って通信を行う。携帯電話２０から出力される音声信号は通信部１０及び制御部１を介して音声出力部１４に供給され、音声として出力される。ユーザによる発話は音声入力部９で音声信号に変換され、制御部１及び通信部１０を介して携帯電話２０に供給される。
【００２８】
また、図１に示すオーディオ装置は、ポータブルオーディオ機器３０を接続して、ポータブルオーディオ機器３０に貯蔵されている楽曲の音声信号を再生できるように構成されている。ポータブルオーディオ機器３０によって再生された音声信号は制御部１を介して音声出力部８へと供給される。操作部５の操作によって、音声出力部８から音声を出力する場合の音声信号のソースとして、チューナ２、ディスクドライブ３、ポータブルオーディオ機器３０のいずれかを選択することができる。
【００２９】
図２に示すオーディオ装置の正面図を用いて、操作部５、照明部６、表示部７について説明する。図２において、表示部７は表示画面７１がオーディオ装置の筐体の前面パネル１１側から視認できるように筐体内部に装着されている。図２に示す例では、オーディオ装置は、操作部５として、回動操作を行うためのノブ５１と、押下する操作ボタンである４つの操作キー５２〜５５とを備える。操作キー５２〜５５は表示画面７１の長手方向の辺と平行になるように並べて配置されている。表示画面７１には、選択項目である楽曲の“ＩＳＬＡＮＤ  ＩＮ  ＴＨ…”なる楽曲名の内、“ＩＳＬＡＮＤ  ＩＮ  ＴＨ”の部分が表示されている。
【００３０】
ノブ５１は、例えば回動操作に伴って選択項目を順次異ならせて表示画面７１に表示させる場合に用いられる。操作キー５２は、表示画面７１に表示された選択項目の選択を確定する場合等に用いられるエンターキーである。以下、エンターキー５２と称することとする。操作キー５３は、所望の放送局やメニューをプリセットしたり、プリセットした放送局を選択したり、プリセットしたメニューを表示画面７１に表示させたりする場合等に用いられるフェイバリットキーである。以下、フェイバリットキー５３と称することとする。
【００３１】
操作キー５４は、携帯電話２０に対する着信に応答してハンズフリー通話を開始する場合に押下する通話開始キーである。以下、通話開始キー５４と称することとする。操作キー５５は、ハンズフリー通話を終了して携帯電話２０による通話を切断する場合に押下する通話終了キーである。以下、通話終了キー５５と称することとする。ノブ５１、エンターキー５２、フェイバリットキー５３、通話開始キー５４、通話終了キー５５は操作部５の単なる例であり、操作部５の種類や数は本実施例に限定されるものではない。
【００３２】
ノブ５１には、照明部６として、リング状の照明部６１が設けられている。エンターキー５２には、２つの横線との２つの横線の間の“ＥＮＴＥＲ”なる文字よりなる照明部６２が設けられている。フェイバリットキー５３には、“ＦＡＶＯＲＩＴＥ”なる文字よりなる照明部６３が設けられている。通話開始キー５４には、取り上げられた受話器の図形で表された照明部６４が設けられている。通話終了キー５５には、置かれた受話器の図形で表された照明部６５が設けられている。これらの照明部６１〜６５は、ノブ５１、エンターキー５２、フェイバリットキー５３、通話開始キー５４、通話終了キー５５の裏面側に設けられたＬＥＤにより照明されて発光する。
【００３３】
図２に示すように所定の楽曲名が表示されている状態で、エンターキー５２が押下されると、再生すべき楽曲の選択が確定される。“ＩＳＬＡＮＤ  ＩＮ  ＴＨ…”なる楽曲がポータブルオーディオ機器３０内に格納された楽曲であるとすると、制御部１はポータブルオーディオ機器３０に“ＩＳＬＡＮＤ  ＩＮ  ＴＨ…”なる楽曲を再生するよう指示し、再生された楽曲の音声信号が音声出力部８へと供給されて音声（音楽）として出力される。
【００３４】
図３は、他の楽曲である“Ｓｉｍｐｌｅ  Ｐａｇｅｓ”なる楽曲名の楽曲が選択されて表示画面７１に表示された状態を示している。本実施形態においては、ノブ５１で楽曲を選択して楽曲名を表示画面７１に表示させ、表示開始から所定期間が経過してもエンターキー５２が押下されない場合には、エンターキー５２の押下を促す動的図形を表示画面７１に表示させるように構成されている。ここでは、選択項目として楽曲を例にしたが、楽曲が含まれているアルバム、楽曲を格納しているフォルダ、楽曲のジャンル、アーティスト等の他の選択項目でも同様にエンターキー５２の押下を促す動的図形を表示画面７１に表示させてもよい。
【００３５】
表示画面７１に“Ｓｉｍｐｌｅ  Ｐａｇｅｓ”なる楽曲名が表示された状態で、表示開始から所定期間が経過してもエンターキー５２が押下されない場合、図３に示すように、制御部１は、表示画面７１の左端部に動的図形Ｉｍ１を表示するよう表示部７を制御する。図３は動的図形Ｉｍ１の一瞬の状態を図示している。表示画面７１に楽曲名が表示されている状態では、エンターキー５２、フェイバリットキー５３、通話開始キー５４、通話終了キー５５の内、押下すべき操作キーはエンターキー５２のみである。そこで、制御部１は、表示画面７１のエンターキー５２の位置に対応した部分に動的図形Ｉｍ１を表示させる。
【００３６】
図４を用いて動的図形Ｉｍ１について詳細に説明する。図４（ａ）に示すように“ＩＳＬＡＮＤ  ＩＮ  ＴＨ…”なる楽曲が選択されている状態で、ユーザがノブ５１を回動させると、図４（ｂ），図４（ｃ）のように、次の楽曲である“Ｐｈｏｔｏｇｒａｐｈ”へと表示が切り換わる。ユーザが聴こうとする目的の楽曲を選択するためノブ５１をさらに回動させると、図４（ｄ）のように目的の楽曲である“Ｓｉｍｐｌｅ  Ｐａｇｅｓ”へと表示が切り換わる。“Ｓｉｍｐｌｅ  Ｐａｇｅｓ”の楽曲名を表示させた表示時点から例えば１秒経過したら、制御部１は図４（ｅ）に示すように動的図形Ｉｍ１の表示を開始する。
【００３７】
エンターキー５２が押下されないと、制御部１は動的図形Ｉｍ１の表示を継続する。本実施形態では、動的図形Ｉｍ１は円環状または楕円環状の図形の一部を切り取ったような図形となっている。図４（ｆ）に示すように動的図形Ｉｍ１は拡大する。動的図形Ｉｍ１の外周が図４（ｇ），図４（ｈ）のように広がっていくのに合わせて内周も広がっていく。内周が広がる速度が外周が広がる速度より速いため、図４（ｇ）〜図４（ｉ）から分かるように、動的図形Ｉｍ１は外周と内周との間の間隔が順次狭くなっていく。その後、図４（ｊ）に示すように動的図形Ｉｍ１は消失し、ノブ５１またはエンターキー５２が操作されなければ図４（ｅ）〜図４（ｊ）を繰り返す。
【００３８】
エンターキー５２が押下されず、ユーザがノブ５１を回動させると、制御部１は、図４（ｋ），図４（ｌ）に示すように表示する楽曲名を切り換える。
【００３９】
本実施形態において、動的図形Ｉｍ１はエンターキー５２の位置を中心とするような図形が順次大きくなるように動的に表示される。従って、所定の選択項目が表示画面７１に表示されている状態で、ユーザは、表示画面７１と並列的に配置されているエンターキー５２、フェイバリットキー５３、通話開始キー５４、通話終了キー５５の内、左端に位置するエンターキー５２を押下すればよいことを容易に認識することができる。
【００４０】
本実施形態では押下すべき操作キーをさらに容易に認識することができるよう、動的図形Ｉｍ１の表示に対応させて照明部６の輝度を変化させるよう構成している。照明部６の輝度を変化させることは必須ではないが、動的図形Ｉｍ１の表示に対応させて照明部６の輝度を変化させることが好ましい。図３においては、押下すべき操作キーはエンターキー５２であり、動的図形Ｉｍ１の表示に対応させて照明部６２の輝度を変化させる。
【００４１】
図５を用いて照明部６２の輝度の変化のさせ方の一例について説明する。図５（ａ）のハッチングを付した矩形状の図形は動的図形Ｉｍ１の表示タイミングを示している。図５（ｂ）は動的図形Ｉｍ１の表示に対応させた照明部６２の輝度の変化を示している。図５（ｂ）に示すように、照明部６２は時刻ｔ０以前より最高輝度Ｌmaxで点灯している。上記のようにノブ５１を回動させて所定の楽曲を選択して時刻ｔ０で回動を停止させると、１秒経過後の時刻ｔ２にて動的図形Ｉｍ１の表示が開始される。照明部６２は時刻ｔ２の直前の時刻ｔ１で最低輝度Ｌminとなる。最低輝度Ｌminは消灯状態であってもよい。
【００４２】
動的図形Ｉｍ１は時刻ｔ２で表示が開始し、時刻ｔ３で終了する。図５（ｂ）に示すように、照明部６２は、動的図形Ｉｍ１が順次大きくなっていくのに合わせて、最低輝度Ｌminから最高輝度Ｌmaxまで輝度が順次上昇する。時刻ｔ３からの所定の時間ノブ５１が操作されなければ、時刻ｔ５の直前である時刻ｔ４で再び最低輝度Ｌminへと輝度を低下させ、時刻ｔ５から再び動的図形Ｉｍ１を表示させる。時刻ｔ０から時刻ｔ２までの時間が１秒であれば、時刻ｔ３から時刻ｔ４までの時間は１秒未満であることが好ましい。図５では、照明部６２の輝度が最高輝度Ｌmaxから即座に最低輝度Ｌminに低下するよう図示しているが、徐々に最低輝度Ｌminまで低下させてもよい。
【００４３】
ノブ５１またはエンターキー５２が操作されなければ、動的図形Ｉｍ１の表示と照明部６２の輝度の変化を繰り返す。ノブ５１またはエンターキー５２が操作されれば、照明部６２の輝度は最高輝度Ｌmaxに戻る。
【００４４】
図６のフローチャートを用いて、オーディオ装置が動的図形Ｉｍ１を表示する際の動作について説明する。図６に示す処理は、図２で説明したように楽曲名等の選択項目を表示画面７１に表示しているとき、記憶部４に記憶されている所定のプログラムに従って制御部１によって実行される。図６では選択項目を楽曲名として説明する。図６において、制御部１はステップＳ１にてノブ５１が操作されたか否かを判定する。ノブ５１が操作されたと判定されれば（Yes）ステップＳ２に移り、操作されたと判定されなければ（No）ステップＳ１に戻る。
【００４５】
ステップＳ２にて、制御部１はノブ５１の操作に応じた選択項目を表示画面７１に表示させる。制御部１はステップＳ３にてノブ５１の操作が停止したか否かを判定する。ノブ５１の操作が停止したと判定されれば（Yes）ステップＳ４に移り、操作が停止したと判定されなければ（No）ステップＳ２に戻る。制御部１はステップＳ４にて所定の時間（例えば１秒）が経過したか否かを判定する。所定の時間が経過したと判定されなければ（No）、制御部１はステップＳ５にてノブ５１の操作が再開したか否かを判定する。ノブ５１の操作が再開したと判定されれば（Yes）ステップＳ２に戻り、ノブ５１の操作が再開したと判定されなければ（No）ステップＳ６に移る。
【００４６】
制御部１はステップＳ６にてエンターキー５２が押下されたか否かを判定する。エンターキー５２が押下されたと判定されれば（Yes）、ステップＳ７にてエンターキー５２が押下されたときに表示画面７１に表示されていた楽曲名の楽曲を再生して終了する。エンターキー５２が押下されたと判定されなければ（No）、ステップＳ４に戻る。ステップＳ３にてノブ５１の操作が停止したと判定され、その後、ノブ５１とエンターキー５２のいずれも操作されなければ、ステップＳ４にて所定の時間が経過したと判定され（Yes）、ステップＳ８に移る。
【００４７】
制御部１はステップＳ８にて図５で説明したように動的図形Ｉｍ１の表示と照明部６２の輝度変化の１サイクルを開始させる。１サイクルとは、図５における時刻ｔ１〜ｔ３に相当する。制御部１はステップＳ９にてノブ５１の操作が再開したか否かを判定する。ノブ５１の操作が再開したと判定されれば（Yes）、ステップＳ１３に移る。制御部１はステップＳ１３にて動的図形Ｉｍ１の表示を終了させ、照明部６２の輝度をＬmaxに戻して、ステップＳ２に戻る。
【００４８】
ステップＳ９にてノブ５１の操作が再開したと判定されなければ（No）、制御部１はステップＳ１０にてエンターキー５２が押下されたか否かを判定する。エンターキー５２が押下されたと判定されれば（Yes）、ステップＳ７にてエンターキー５２が押下されたときに表示画面７１に表示されていた楽曲名の楽曲を再生して終了する。エンターキー５２が押下されたと判定されなければ（No）、制御部１はステップＳ１１にて動的図形Ｉｍ１の表示と照明部６２の輝度変化の１サイクルが終了したか否かを判定する。１サイクルが終了したと判定されなければ（No）、ステップＳ８に戻り、制御部１は１サイクルの終了まで動的図形Ｉｍ１の表示と照明部６２の輝度変化を継続させる。
【００４９】
ステップＳ１１にて１サイクルが終了したと判定されれば（Yes）、制御部１はステップＳ１２にて所定の時間が経過したか否かを判定する。ステップＳ１２での所定の時間は１秒よりも短い時間である。ステップＳ１２にて所定の時間が経過したと判定されれば（Yes）、ステップＳ８に戻り、制御部１は動的図形Ｉｍ１の表示と照明部６２の輝度変化の１サイクルを繰り返す。ステップＳ１２にて所定の時間が経過したと判定されなければ（No）、ステップＳ９に戻る。ステップＳ８〜Ｓ１２より分かるように、ノブ５１またはエンターキー５２が操作されるまで動的図形Ｉｍ１の表示と照明部６２の輝度変化の１サイクルを繰り返す。
【００５０】
以上のように、本実施形態においては、表示画面７１に所定の選択項目が表示されて、所定の時間が経過したら、選択項目が表示されている状態で操作すべき操作キー（上記の例ではエンターキー５２）の位置に対応した部分に動的図形Ｉｍ１を表示させるよう構成しているので、ユーザは、押下すべき操作キーを容易に認識することができる。従って、ユーザはどの操作キーを押下すればよいのか分からず戸惑ってしまうことを少なくすることができる。
【００５１】
次に、表示画面７１に動的図形を表示する他の例について説明する。図７は、上記のように選択した楽曲を再生している前面パネル１１の状態を示している。図７に示すように、表示画面７１には再生している楽曲のタイトル、再生時間等の情報が表示されている。照明部６１〜６３が点灯しており、ノブ５１とエンターキー５２とフェイバリットキー５３の操作が可能であることを示している。照明部６４，６５は消灯していることから図示されておらず、通話開始キー５４と通話終了キー５５の操作が不可であることを示している。照明部６４，６５を消灯せず、輝度を落として暗くしてもよい。以下同様に、消灯の代わりに輝度低減であってもよい。
【００５２】
図８は図７の状態で携帯電話２０に着信があった場合の前面パネル１１の状態を示している。携帯電話２０に着信があると、制御部１は照明部６１〜６３を消灯させ、照明部６４を点灯させる。これにより、ノブ５１とエンターキー５２とフェイバリットキー５３の操作が不可となり、通話開始キー５４の操作が可能となったことを示している。また、制御部１は、表示画面７１に着信があったことを示す例えば“ＣＡＬＬＩＮＧ”なる文字と記憶部に予め登録されている発信者名“Ｊｈｏｎ  Ｓ…”とを左方向にスクロールさせて表示する。発信者名が登録されていなければ電話番号を表示すればよい。表示画面７１に表記が収まる場合にはスクロールさせなくてよい。
【００５３】
また、制御部１は、表示画面７１に動的図形Ｉｍ２を表示させる。図８は動的図形Ｉｍ２の一瞬の状態を図示している。動的図形Ｉｍ２は、通話開始キー５４の位置に対応して表示され、一例として通話開始キー５４の位置をほぼ中心として広がっていく図形である。本実施形態では、動的図形Ｉｍ２は円環状または楕円環状の図形の一部を切り取ったような図形となっている。動的図形Ｉｍ２の詳細については後述する。
【００５４】
図９は、通話開始キー５４が押下されて通話を開始した後の前面パネル１１の状態を示している。制御部１は、表示画面７１に通話中であることを示す“Ｔａｌｋｉｎｇ”なる文字と、通話時間Ｉｍ３とを表示させる。制御部１には携帯電話２０から電波状況を示す情報とバッテリの残量に関する情報とが入力されるので、制御部１は、表示画面７１に電波状況を示す画像Ｉｍ４とバッテリの残量を示す画像Ｉｍ５も併せて表示させる。制御部１は、照明部６４を消灯させ、照明部６５を点灯させる。これにより、通話開始キー５４の操作が不可となり、通話終了キー５５の操作が可能となったことを示している。
【００５５】
図１０を用いて動的図形Ｉｍ２について詳細に説明する。図１０（ａ）は図７と同じ状態であり、楽曲を再生しているときの表示状態である。携帯電話２０に着信があると、制御部１は図１０（ｂ）に示すように“ＣＡＬＬＩＮＧ…”なる文字を表示させる。制御部１は図１０（ｃ）に示すように“ＣＡＬＬＩＮＧ…”なる文字を左方向にスクロールさせ、動的図形Ｉｍ２の表示を開始させる。制御部１は、図１０（ｄ）〜図１０（ｈ）に示すように、円環状または楕円環状の図形を幅方向及び高さ方向に拡大させて、順次拡大していく図形を表示画面７１の部分で切り取った画像を表示させる。
【００５６】
制御部１は、動的図形Ｉｍ２の１サイクルの表示を終了させた後、通話開始キー５４が押下されなければ、図１０（ｉ）に示すように一旦動的図形Ｉｍ２を非表示として図１０（ｊ）のように再び動的図形Ｉｍ２を表示させる。図１０（ｋ）は図９と同じ状態であり、通話開始キー５４が押下されて通話を開始した通話状態である。なお、図１０に示す例では、“ＣＡＬＬＩＮＧ…”なる文字のスクロールの速度が一定となっていない。スクロールの速度を一定としてもよい。
【００５７】
図１０に示す例では、動的図形Ｉｍ２は、図４で説明した動的図形Ｉｍ１のように、内周が広がる速度が外周が広がる速度より速くなっておらず、内周が広がる速度と外周が広がる速度は同じである。動的図形Ｉｍ２においても、動的図形Ｉｍ１と同様に内周が広がる速度を外周が広がる速度より速くしてもよい。
【００５８】
図１０においても、好ましい実施形態として、動的図形Ｉｍ２の表示に対応させて照明部６４を変化させるよう構成している。図１１を用いて照明部６４の輝度の変化のさせ方の一例について説明する。図１１（ａ）のハッチングを付した矩形状の図形は動的図形Ｉｍ２の表示タイミングを示している。図１１（ｂ）は動的図形Ｉｍ２の表示に対応させた照明部６４の輝度の変化を示している。図１１（ｂ）に示すように、照明部６４は時刻ｔ１０以前より最高輝度Ｌmaxで点灯している。時刻ｔ１０で携帯電話２０に着信があると、時刻t１１にて動的図形Ｉｍ１の表示が開始される。照明部６４は時刻ｔ１２にて最低輝度Ｌminとなり、時刻ｔ１３にて最高輝度Ｌmaxに戻る。最低輝度Ｌminは消灯状態であってもよい。時刻ｔ１４にて動的図形Ｉｍ２の１サイクルが終了する。
【００５９】
時刻ｔ１５にて動的図形Ｉｍ２の次のサイクルが開始する。照明部６４は時刻ｔ１６にて最低輝度Ｌminとなり、同様に繰り返す。即ち、照明部６４は動的図形Ｉｍ２の１サイクルの表示期間内で点滅する。図１１においても、照明部６４の輝度が最高輝度Ｌmaxから即座に最低輝度Ｌminに低下し、最低輝度Ｌminから即座に最高輝度Ｌmaxに上昇するよう図示しているが、徐々に最低輝度Ｌminまで低下させ、徐々に最高輝度Ｌmaxまで上昇させてもよい。図１１に示す例では、照明部６４を点滅させたが、図５で説明した照明部６２の輝度制御と同様に最低輝度Ｌminから最高輝度Ｌmaxまで輝度を上昇させるようにしてもよい。
【００６０】
図１２のフローチャートを用いて、オーディオ装置が動的図形Ｉｍ２を表示する際の動作について説明する。図１２に示す処理は、図７で説明したように例えば楽曲を再生していて、携帯電話２０からの着信に応答できるハンズフリー通話が可能な状態のとき、記憶部４に記憶されている所定のプログラムに従って制御部１によって実行される。
【００６１】
図１２において、制御部１はステップＳ２１にて携帯電話２０に着信があったか否かを判定する。着信があったと判定されれば（Yes）ステップＳ２２に移り、着信があったと判定されなければ（No）ステップＳ２１に戻る。制御部１はステップＳ２２にて表示画面７１に着信があった旨の表示を開始させ、ステップＳ２３にて動的図形Ｉｍ２の表示と照明部６４の点滅の１サイクルを開始させる。制御部１はステップＳ２４にて通話開始キー５４が押下されたか否かを判定する。通話開始キー５４が押下されたと判定されなければ（No）ステップＳ２５に移る。
【００６２】
制御部１はステップＳ２５にて動的図形Ｉｍ２の表示と照明部６４の点滅の１サイクルが終了したか否かを判定し、終了したと判定されれば（Yes）ステップＳ２６に移り、終了したと判定されなければ（No）ステップＳ２２に戻る。制御部１はステップＳ２６にて所定の時間が経過したか否かを判定し、所定の時間が経過したと判定されれば（Yes）ステップＳ２２に戻り、経過したと判定されなければ（No）ステップＳ２７に移る。制御部１はステップＳ２７にて着信が継続しているか否かを判定する。
【００６３】
電話をかけてきた発信者が呼び出しを切断すれば、着信が切断される。また、着信があった後、所定の時間が経過したり、所定のコール数になったりすると着信が切断される場合がある。そこで、制御部１はステップＳ２７にて着信が継続しているか否かを判定し、着信が継続していると判定されれば（Yes）ステップＳ２４に戻り、着信が継続していると判定されなければ（No）ステップＳ２８にて表示画面７１の表示を元に戻して終了する。
【００６４】
ステップＳ２４にて通話開始キー５４が押下されたと判定されれば（Yes）、ステップＳ２９に移る。制御部１はステップＳ２９にて動的図形Ｉｍ２の表示を停止させ、通話中である旨の表示を開始させる。制御部１はステップＳ３０にて照明部６４を消灯させ、ステップＳ６５にて照明部６５を点灯させる。制御部１はステップＳ３２にて通話が継続しているか否かを判定し、通話が継続していると判定されれば（Yes）ステップＳ２９に戻り、通話が継続していると判定されなければ（No）ステップＳ２８にて表示画面７１の表示を元に戻して終了する。
【００６５】
以上のように、本実施形態においては、オーディオ装置が所定の状態にあり、携帯電話２０への着信があった場合に操作すべき操作キー（上記の例では通話開始キー５４）の位置に対応した部分に動的図形Ｉｍ２を表示させるよう構成しているので、ユーザは、押下すべき操作キーを容易に認識することができる。従って、ユーザはどの操作キーを押下すればよいのか分からず戸惑ってしまうことを少なくすることができる。
【００６６】
図１において、制御部１は、表示部７の表示画面７１に所定の情報を表示させる表示制御部として動作している。制御部１は、表示画面７１に動的図形を表示させるのに対応させて照明部６による発光輝度を変化させる発光輝度制御部としても動作している。制御部１は電子機器が所定の状態にあるとき、所定の状態であることを示す情報を表示画面７１に表示させる。また、制御部１は、表示画面７１と並べて配置された複数の操作キー５２〜５５の内、上記の所定の状態のときに操作すべき特定の操作キーの位置に対応した表示画面７１上の位置に、動的図形Ｉｍ１，Ｉｍ２を表示させる。
【００６７】
動的図形Ｉｍ１，Ｉｍ２は、図４，図１０に示すように、特定の操作キーから離れていく図形である。図４，図１０の例とは逆に特定の操作キーに近付いていく図形であってもよい。また、動的図形Ｉｍ１，Ｉｍ２は、特定の操作キーを中心として広がっていく図形である。図４，図１０の例とは逆に特定の操作キーを中心として狭まっていく図形であってもよい。
【００６８】
上述した本実施形態においては、エンターキー５２を操作すべき状態で表示される動的図形Ｉｍ１と、通話開始キー５４を操作すべき状態で表示される動的図形Ｉｍ２とが異なっている。また、照明部６２，６４の輝度変化の仕方も異なっている。このように、操作すべき操作キーの位置に応じて動的図形のパターンや照明部６の輝度変化の仕方の少なくとも一方を異ならせると、ユーザは動的図形のパターンや照明部６の輝度変化の仕方でどの操作キーを操作すべきなのかを認識することが可能になる。よって、操作すべき操作キーの位置に応じて動的図形のパターンや照明部６の輝度変化の仕方の少なくとも一方を意図的に異ならせることは好ましい。
【００６９】
本発明は以上説明した本実施形態に限定されるものではなく、本発明の要旨を逸脱しない範囲で種々変更可能である。動的図形の他の例として、特定の操作キーに近付いていく矢印を示す画像としてもよい。同じ大きさの矢印の図形が近付いていってもよいし、特定の操作キーに近付くに従って矢印の図形を大きくしてもよい。矢印の図形は１つでも複数でもよい。動的図形のさらに他の例として、特定の操作キーを中心に爆発が生じたような図形であってもよい。本実施形態では、携帯電話２０による音声通話を例にしたが、携帯端末による音声通話以外の通信であってもよい。
【産業上の利用可能性】
【００７０】
本発明は以上説明したオーディオ装置に限定されず、ナビゲーション装置、パーソナルコンピュータ、ラジオ受信機、ディスプレイ装置、その他の任意の電子機器に利用することが可能である。
【符号の説明】
【００７１】
１  制御部（表示制御部，発光輝度制御部）
２  チューナ
３  ディスクドライブ
４  記憶部
５  操作部
６，６１〜６５  照明部
７  表示部
８  音声出力部
９  音声入力部
１０  通信部
２０  携帯電話（携帯端末）
３０  ポータブルオーディオ機器
５１  ノブ
５２〜５５  操作キー
７１  表示画面
Ｉｍ１，Ｉｍ２  動的図形
【図１】
0005434895.tif 000002
【図２】
0005434895.tif 000003
【図３】
0005434895.tif 000004
【図４】
0005434895.tif 000005
【図５】
0005434895.tif 000006
【図６】
0005434895.tif 000007
【図７】
0005434895.tif 000008
【図８】
0005434895.tif 000009
【図９】
0005434895.tif 000010
【図１０】
0005434895.tif 000011
【図１１】
0005434895.tif 000012
【図１２】
0005434895.tif 000013